(57)【要約】【課題】  抹香および灰が香炉上に舞い上がることを防止すると共に、焼香を行う人が香炉上の香炭をつまむことがないように構成された、香炉を提供することを課題とする。【解決手段】  本発明は、香炭を載置可能に構成された香炉１であって、前記香炭を覆う香炭包囲体３０が設けられており、前記香炭包囲体３０は、前記香炭の上方に位置する上面部３１と、前記上面部３１を支持して前記香炭の周囲に配設された立脚部とを有し、前記上面部には、抹香を落とし入れるための孔部が設けられていることを特徴としている。【選択図】  図１
2007181496.tif 000002
【特許請求の範囲】
【請求項１】
香炭を載置可能に構成された香炉であって、
前記香炭を覆う香炭包囲体が設けられており、
前記香炭包囲体は、前記香炭の上方に位置する上面部と、前記上面部を支持して前記香炭の周囲に配設された立脚部とを有し、
前記上面部には、抹香を落とし入れるための孔部が設けられている
ことを特徴とする香炉。
【請求項２】
前記上面部は、前記孔部を中心とした擂鉢状に構成されている
請求項１に記載の香炉。
【請求項３】
前記上面部の傾斜角度が、１５°〜７０°である
請求項２に記載の香炉。
【請求項４】
前記孔部の直径が、５ｍｍ〜１５ｍｍである
請求項１から３のいずれか１項に記載の香炉。
【請求項５】
香炉上に載置して用いられる香炭を覆うように構成された香炭包囲体であって、
前記香炭の上方に位置する上面部と、前記上面部を支持して前記香炭の周囲に配設された立脚部とを有し、
前記上面部には、抹香を落とし入れるための孔部が設けられている
ことを特徴とする香炭包囲体。
【請求項６】
前記上面部は、前記孔部を中心とした擂鉢状に構成されている
請求項５に記載の香炭包囲体。
【請求項７】
前記上面部の傾斜角度が、１５°〜７０°である
請求項６に記載の香炭包囲体。
【請求項８】
前記孔部の直径が、５ｍｍ〜１５ｍｍである
請求項５から７のいずれか１項に記載の香炭包囲体。
【発明の詳細な説明】
【技術分野】
【０００１】
本発明は、焼香時に用いられる香炉、および香炉上に載置された香炭を覆うように設けられた香炭包囲体に関するものである。
【背景技術】
【０００２】
一般に、仏教においては、葬式をはじめとする様々な法要の際に、必ず「焼香」が行われる。この「焼香」には、仏前を荘厳することによって敬虔な心をささげるという意味がある。
【０００３】
焼香には、種々の作法があり、例えば、「抹香を用いた立礼焼香」、「抹香を用いた座礼焼香」、「抹香を用いた回し焼香」、「線香を用いた座礼焼香」等がある。
【０００４】
抹香を用いた焼香の場合には、その作法が立礼焼香、座礼焼香、あるいは回し焼香のいずれであっても、また、宗派によって若干の作法の違いはあるものの、抹香と香炉（香炭が載置された香炉）とを用いて行われる点に変わりはない。
【０００５】
焼香の一例として「抹香による立礼焼香」について、以下に簡単に説明する。
【０００６】
まず、自分の順番が回ってきたら、次の方（自分の後に焼香を行う方）に軽く会釈して立ち上がり、霊前の焼香台方向に進む。次いで、焼香台の手前で立ち止まり、遺族等に一礼する。次いで、焼香台の直前まで進んで立ち止まり、焼香台の前で位牌と遺影に向かって一礼する。次いで、親指・人差指・中指の三本の指で抹香を少量つまみ、やや頭を垂れて抹香を額に押し戴く。次いで、指をこすり合わせるようにして、つまんでいた抹香を香炉に落とし入れる。次いで、数珠を両手に掛けて持ち、位牌と遺影に向かって合掌する。最後に、霊前に向いたまま軽く退き再度一礼し、その後遺族等にも一礼して、自席に戻る。
【０００７】
上述したように、焼香の作法は、宗派によっても異なり、宗派によっては「抹香を額に押し戴かずにそのまま香炉に落とし入れる」場合もある。また、焼香の回数（抹香をつまんで香炉に落とし入れる回数）も宗派によって、一回、二回、あるいは三回の場合もある。
【０００８】
このように、葬式をはじめとする様々な法要の際に行われる「焼香」に必ず必要となる「香炉」であるが、時代の流れと共に、種々の出願もなされている（例えば、特許文献１参照）。
【０００９】
【特許文献１】特開平７−２５５５８７号公報
【発明の開示】
【発明が解決しようとする課題】
【００１０】
さて、上述したように、様々な法要の際における焼香時に使用される「香炉」であるが、焼香の際において、以下の問題点があった。
【００１１】
まず、抹香を香炭上に適切に落すことができなかった場合には、香炭のまわりに抹香が散らばり、抹香を完全に燃焼させることができないという問題があった。この場合には、清掃の際に燃えていない抹香を処分することとなる。そうすると、清掃しづらく、抹香が無駄になるという問題があった。
【００１２】
また、抹香を香炉上の香炭に落とし入れる際に（落とし入れ方によっては）、抹香あるいは先に落とし入れられた抹香の燃えカス（灰）が、香炉上に舞い上がる場合があるという問題があった。
【００１３】
さらに、焼香に不慣れな人は、焼香の作法をよく知らず（ただ単に皆が何かをつまんでいるとしか認識しておらず）、抹香ではなく、香炉上の香炭をつまむおそれがあるという問題があった。
【００１４】
これらの問題点は、従来から使用されてきた香炉等を用いた場合には、解決できるものではない。また、種々出願されている香炉等の中にも、上記問題点を解決するものはない。
【００１５】
そこで、本発明は、上記従来技術にかかる問題点を解決するためになされたものであって、抹香の無駄をなくし、抹香および灰が香炉上に舞い上がることを防止すると共に、焼香を行う人が香炉上の香炭をつまむことがないように構成された、香炉を提供することを課題とする。また、本発明は、上記従来技術にかかる問題点を解決するためになされたものであって、抹香の無駄をなくし、抹香および灰が香炉上に舞い上がることを防止すると共に、焼香を行う人が香炉上の香炭をつまむことがないように構成された、香炭包囲体を提供することを課題とする。
【課題を解決するための手段】
【００１６】
本発明は、上記課題を解決するためになされたものであり、香炭を載置可能に構成された香炉であって、前記香炭を覆う香炭包囲体が設けられており、前記香炭包囲体は、前記香炭の上方に位置する上面部と、前記上面部を支持して前記香炭の周囲に配設された立脚部とを有し、前記上面部には、抹香を落とし入れるための孔部が設けられていることを特徴としている。
【００１７】
また、本発明にかかる香炉においては、前記上面部が、前記孔部を中心とした擂鉢状に構成されていることが好ましい。
【００１８】
また、本発明にかかる香炉においては、前記上面部の傾斜角度が、１５°〜７０°である構成が好ましい。
【００１９】
また、本発明にかかる香炉においては、前記孔部の直径が、５ｍｍ〜１５ｍｍである構成が好ましい。ここで、前記孔部直径の最小値は、例えば、抹香を適切に落とし入れることが可能な値として定められ、この値は、抹香の粒径等によって定められる。また、前記孔部直径の最大値は、例えば、孔部からその下方に載置されている香炭に容易に触れることができない値として定められる。
【００２０】
さらに、本発明は、上記課題を解決するためになされたものであり、香炉上に載置して用いられる香炭を覆うように構成された香炭包囲体であって、前記香炭の上方に位置する上面部と、前記上面部を支持して前記香炭の周囲に配設された立脚部とを有し、前記上面部には、抹香を落とし入れるための孔部が設けられていることを特徴としている。
【００２１】
また、本発明にかかる香炭包囲体においては、前記上面部が、前記孔部を中心とした擂鉢状に構成されていることが好ましい。
【００２２】
また、本発明にかかる香炭包囲体においては、前記上面部の傾斜角度が、１５°〜７０°である構成が好ましい。
【００２３】
また、本発明にかかる香炭包囲体においては、前記孔部の直径が、５ｍｍ〜１５ｍｍである構成が好ましい。
【発明の効果】
【００２４】
本発明によれば、抹香の無駄をなくし、抹香および灰が香炉上に舞い上がることを防止すると共に、焼香を行う人が香炉上の香炭をつまむことがないように構成された、香炉を得ることができる。また、本発明によれば、抹香の無駄をなくし、抹香および灰が香炉上に舞い上がることを防止すると共に、焼香を行う人が香炉上の香炭をつまむことがないように構成された、香炭包囲体を得ることができる。
【発明を実施するための最良の形態】
【００２５】
以下、図面に基づいて、本発明の実施形態を説明する。
【００２６】
＜第一実施形態＞
図１は、本発明の第一実施形態にかかる香炉１（本発明の「香炉」に相当）の概略斜視図を示したものである。この図１においては、香炉１の一部（後述する「香炉本体部」の内部）を隠れ線（破線）にて示している。
【００２７】
本実施形態にかかる香炉１は、足部１１，１２を有する本体ケース１０と、この本体ケースの上方位置に設けられた香炉本体部２０および抹香収容部４０とを用いて構成されている。
【００２８】
本体ケース１０上方位置に設けられた香炉本体部２０は、その内部の灰上に香炭が載置可能に構成されている。そして、本実施形態においては、この香炭を覆うべく香炭包囲体３０が設けられている。本実施形態にかかる香炭包囲体３０は、その上面部に「蓮の花」が模されている。
【００２９】
また、本体ケース１０上方位置に設けられた抹香収容部４０には、焼香時に用いられる抹香４１が収容されている。抹香とは、沈香、栴檀、白檀、丁子等の粉末を適宜まぜ合わせて作られた香であり、最近では、例えば、シキミの葉と皮を粉末状にして構成されている。
【００３０】
図２は、本実施形態にかかる香炉本体部２０の概略図を示したものである。より具体的には、図２（ａ）は、香炉本体部２０の上面図を示し、図２（ｂ）は、図２（ａ）のII−II線概略断面図を示している。
【００３１】
図１および図２に示すように、本実施形態にかかる香炉本体部２０においては、その内部に収容された灰２２上の略中央部に香炭２１が載置されており、この香炭２１を覆うように、香炭包囲体３０が設けられている。
【００３２】
この香炭包囲体２０は、図２に示すように、香炭２１の上方に位置する上面部３１と、この上面部３１を支持して香炭２１の周囲に配設された立脚部３３（第一立脚部３３ａ〜第六立脚部３３ｆ）とを用いて構成されている。また、この香炭包囲体２０は、香炉本体部２０の外形（長方形）形状に合わせて、楕円形状あるいは小判形状に構成されている。本実施形態においては、小判形状に構成されている（図２（ａ）参照）。
【００３３】
上面部３１は、図２（ａ）に示すように、「蓮の花」を模したデザインが施されている。この上面部３１には、中心部（蓮の花の中心部）に孔部３２が設けられている。また、この上面部３１は、孔部３２を最下点として、外周側に向けて傾斜（上向きに傾斜）すべく構成されている。換言すれば、上面部３１は、孔部３２を中心として擂鉢状に構成されており、上面部３１の外周側から中心部の孔部３２に向かって下向きに傾斜して構成されている。
【００３４】
上面部３１に設けられている孔部３２は、灰２２上の香炭２１に対して抹香４１を落とし入れるために設けられており、上面部３１が擂鉢状に傾斜して設けられているのは、抹香４１を適切に孔部３２（香炭２１上）に導くためである。この上面部３１は、孔部３２に入らなかった抹香が上面部３１を滑って適切に孔部３２に導かれるように、その表面が滑らかに構成されている。
【００３５】
また、この孔部３２は、抹香を香炭２１上に落とし入れる一方で、焼香を行う人があやまって香炭２１をつまむことがないような直径Ｄに構成されている。つまり、この孔部３２の直径Ｄは、抹香４１を適切に香炭２１上に落とし入れることが可能であると共に、人の指が容易には入らないような大きさに設定されている。具体的には、この孔部３２の直径Ｄは、５ｍｍ〜１５ｍｍ程度に設定されていることが好ましい。この孔部３２の最小直径は、例えば、抹香４１を香炭２１上に適切に落とし入れることが可能な値として定められ、この値は、抹香４１の粒径等によって決定される。また、この孔部３２の最大直径は、例えば、孔部からその下方に載置されている香炭２１に容易に触れることができない値として定めら、この値は、人の指の大きさ等に基づいて決定される。さらに、この孔部３２の直径Ｄは、８ｍｍ〜１２ｍｍ程度であることがより好ましい。孔部３２の直径Ｄが、このより好ましい値の範囲内に設定されておれば、抹香４１を香炭２１上に適切に落とし入れることが可能であると共に、焼香時において人が容易に香炭２１に触れることができない。
【００３６】
さらに、本実施形態においては、孔部３２に入らなかった抹香４１が上面部３１を滑って適切に孔部３２に導かれるように、この上面部３１は、水平面との間に所定角度θ（図２（ｂ）参照）（本発明の「傾斜角度」に相当）を有するべく構成されている。この上面部３１の所定角度（傾斜角度）θは、例えば、１５°〜７０°程度に設定されていることが好ましい。また、この所定角度θは、３０°〜６０°程度であることがより好ましい。この上面部３１の所定角度（傾斜角度）θは、香炉１の大きさ、抹香４１の滑りやすさ等に基づいて、適宜適切な角度が決定される。
【００３７】
上面部３１を支持している立脚部３３は、上面部３１を支持して香炭２１の周囲に配設されており、本実施形態においては、六つの立脚部３３（第一立脚部３３ａ〜第六立脚部３３ｆ）が設けられている。より具体的には、上面部３１の周囲には、立脚部３３と空隙部３４とが交互に設けられており、図２（ａ）に示すように、反時計回りに、第一立脚部３３ａ、第一空隙部３４ａ、第二立脚部３３ｂ、第二空隙部３４ｂ、第三立脚部３３ｃ、第三空隙部３４ｃ、第四立脚部３３ｄ、第四空隙部３４ｄ、第五立脚部３３ｅ、第五空隙部３４ｅ、第六立脚部３３ｆ、第六空隙部３４ｆ、第一立脚部３３ａの順番で設けられている。
【００３８】
本実施形態にかかる香炭包囲体３０を構成する空隙部３４は、「六道」を表現している。つまり、六つの穴（空隙部３４）からお香の香りと煙とが立ち昇り、冥福を祈念するという意味合いを持っている。また、上面部３１には、上述したように「蓮の花」があしらわれているが、これは、故人の悟りを願う意味がこめられている。
【００３９】
また、本実施形態においては、孔部３２と香炭２１との距離Ｈ（図２（ｂ）参照）が、８ｍｍ〜２５ｍｍ程度となるように、立脚部３３の寸法が定められている。また、この距離Ｈは、１０ｍｍ〜１５ｍｍ程度であることがより好ましい。この孔部３２と香炭２１との距離Ｈは、孔部３２の直径、抹香４１の大きさ（例えば、粒径等）、あるいは香炭２１の大きさ等に基づいて定められており、孔部３２から落とし入れられた抹香４１が、孔部３２と香炭２１との間に詰まったりすることなく、抹香４１が適度にばらける程度の間隔を有することが好ましい。
【００４０】
本実施形態にかかる香炉１は、以上のように構成されているため、次のような効果を得ることができる。
【００４１】
本実施形態にかかる香炉１は、図１および図２に示すように、足部１１，１２を有する本体ケース１０と、この本体ケースの上方位置に設けられた香炉本体部２０および抹香収容部４０とを用いて構成されており、香炉本体部２０には、灰２２上の香炭２１を覆うべく香炭包囲体３０が設けられており、抹香収容部４０には、抹香４１が収容されている。
【００４２】
本実施形態にかかる香炉１によれば、香炭２１を覆うべく香炭包囲体３０が設けられており、この香炭包囲体３０の中央部（香炭２１の真上）には、抹香４１を落し入れるべく孔部３２が設けられている。したがって、本実施形態によれば、焼香時に、この孔部３２を介して香炭２１上に抹香４１を集中して落とし入れることができる。よって、抹香４１を香炉の広範囲に散らすことなく、抹香４１を完全に焚くことが可能となる。また、このような構成によれば、抹香４１を確実に香炭２１上に落し入れることができるため、香炭２１が少量であっても、抹香４１を完全に焚くことができる。さらに、このような構造であれば、抹香４１の燃え残りがなくなるため、抹香４１の無駄をなくすことができる。本実施形態によれば、抹香４１の燃え残りが少ないため、香炉２１の清掃も容易に行うことができる。
【００４３】
また、本実施形態にかかる香炉１によれば、香炭２１が香炭包囲体３０にて覆われ、この香炭包囲体３０に設けられた孔部３２が、指が入りにくい大きさ・形状に構成されている。したがって、本実施形態によれば、焼香を行う人があやまって香炭２１をつまむことがない。つまり、本実施形態にかかる香炉１は、香炭包囲体３０を有することによって、簡単には香炭２１に触れることができない構造であるため、焼香を行う人が不注意による火傷等をおうことがなくなる。
【００４４】
さらに、本実施形態にかかる香炉１によれば、香炭２１が香炭包囲体３０に覆われているため、香炭２１に直接的に風等が当たらず、また香炭２１の熱が外部に（香炭包囲体３０外に）逃げにくい。したがって、本実施形態によれば、香炭１が比較的長持ちすることとなる。
【００４５】
また、本実施形態にかかる香炉１によれば、香炭２１が香炭包囲体３０に覆われており、この香炭包囲体３０の上面部３１に設けられた孔部３２から、香炭２１に抹香４１が落とし入れられる。このような構成によれば、抹香４１を香炉上の香炭２１に落とし入れても、抹香４１あるいは先に落とし入れられた抹香４１の燃えカス（灰）が、香炉１上に舞い上がらない。つまり、本実施形態によれば、上面部３１および立脚部３３にて構成された香炭包囲体３０にて香炭２１が覆われているため、仮に抹香４１を落とし入れたときに灰等が舞い上がったとしても、この灰は香炭包囲体３０にて抑えられ、香炉１上に舞い上がることはない。
【００４６】
さらに、本実施形態にかかる香炉１によれば、香炭２１を覆うべく香炭包囲体３０を設けることによって、焼香者が、赤黒く焼けた香炭２１や抹香４１を直接目にすることなく、気持ちよく焼香を行うことができる。また、このような構成であれば、焼香中の香炉１の外観も美しく保持することができる。
【００４７】
また、本実施形態においては、図１および図２にて説明した香炭包囲体３０を有することによって、上述した種々の効果を得ることができる。つまり、香炭包囲体３０が中心的に機能することによって、本実施形態にかかる香炉１は、上述した種々の効果を得ることができる。換言すれば、香炭包囲体３０が、上述した効果を得ることができるともいえる。
【００４８】
＜第二実施形態＞
図３は、本発明の第二実施形態にかかる香炉５０（本発明の「香炉」に相当）の概略斜視図を示したものである。この図３においては、香炉５０の一部（後述する「香炉本体部」の内部）を隠れ線（破線）にて示している。なお、この実施形態にかかる香炉５０を用いる場合には、別途、抹香を用意する。ここでは、抹香等の記載は省略する。
【００４９】
本実施形態にかかる香炉５０は、灰２２を貯留した香炉本体部５１と、この灰２２の上に設けられた香炭包囲体６０とを用いて構成されている。
【００５０】
本実施形態にかかる香炉本体部５１は、その内部の灰上に香炭２１が載置可能に構成されており、この香炭２１を覆うべく香炭包囲体６０が設けられている。また、第一実施形態と同様に、本実施形態においても、香炭包囲体６０の上面部６１には、「蓮の花」が模されている。
【００５１】
この香炭包囲体６０は、図３に示すように、香炭２１の上方に位置する上面部６１と、この上面部６１を支持して香炭２１の周囲に配設された立脚部６３とを用いて構成されている。また、この香炭包囲体６０は、香炉本体部５１の外形（円形）形状に合わせて、円形状に構成されている。
【００５２】
上面部６１は、図３に示すように、「蓮の花」を模したデザインが施されている。この上面部６１には、中心部（蓮の花の中心部）に孔部６２が設けられている。また、この上面部６１は、孔部６２を最下点として、外周側に向けて傾斜（上向きに傾斜）すべく構成されている。換言すれば、上面部６１は、孔部６２を中心として擂鉢状に構成されており、上面部６１の外周側から中心部の孔部６２に向かって下向きに傾斜して構成されている。
【００５３】
上面部６１に設けられている孔部６２は、灰２２上の香炭２１に対して抹香を落とし入れるために設けられており、上面部６１が擂鉢状に傾斜して設けられているのは、抹香を適切に孔部６２（香炭２１上）に導くためである。この上面部６１は、孔部６２に入らなかった抹香が上面部６１を滑って適切に孔部６２に導かれるように、その表面が滑らかに構成されている。
【００５４】
また、この孔部６２は、第一実施形態と同様に、抹香を香炭２１上に落とし入れる一方で、焼香を行う人があやまって香炭２１をつまむことがないような直径に構成されている。つまり、この孔部６２の直径は、抹香を適切に香炭２１上に落とし入れることが可能であると共に、人の指が容易には入らないような大きさに設定されている。具体的な数値等については、第一実施形態と同様であるため、ここでは省略する。
【００５５】
さらに、本実施形態においては、孔部６２に入らなかった抹香が上面部６１を滑って適切に孔部６２に導かれるように、この上面部６１は、水平面との間に所定角度を有するべく構成されている。この上面部３１の所定角度についても、基本的には第一実施形態と同様であるため、その具体的数値は省略する。
【００５６】
上面部６１を支持している立脚部６３は、上面部６１を支持して香炭２１の周囲に配設されており、本実施形態においては、六つの立脚部６３が均等に設けられている。より具体的には、上面部６１の周囲には、立脚部６３と空隙部６４とが交互に設けられている。本実施形態にかかる香炭包囲体６０の上面部６１は、上述したように円形状であるため、第一実施形態とは異なり、空隙部６４を介して均等な大きさの立脚部６３が設けられている。
【００５７】
本実施形態にかかる香炭包囲体６０を構成する空隙部６４は、第一実施形態と同様に、「六道」を表現している。つまり、六つの穴（空隙部６４）からお香の香りと煙とが立ち昇り、冥福を祈念するという意味合いを持っている。また、上面部６１には、上述したように「蓮の花」があしらわれているが、これは、故人の悟りを願う意味がこめられている。
【００５８】
また、本実施形態も、第一実施形態と同様に、孔部６２と香炭２１との距離が、孔部６２の直径、抹香の大きさ（例えば、粒径等）、あるいは香炭２１の大きさ等に基づいて定められている。そして、孔部６２から落とし入れられた抹香が、孔部６２と香炭２１との間に詰まったりすることなく、抹香が適度にばらける程度の間隔を有すべく設定されている。具体的な数値については、第一実施形態と同様であるため、ここでは省略する。
【００５９】
本実施形態にかかる香炉５０は、以上のように構成されている。この第二実施形態が第一実施形態と異なる部分は、抹香収容部を有しないことと、香炉本体部５１の形状、および香炭包囲体６０の形状である。つまり、香炉５０自身の機能的な部分については、第二実施形態と第一実施形態とは略同様である。
【００６０】
したがって、図３に示した第二実施形態にかかる香炉５０および香炭包囲体６０は、第一実施形態の場合と同様に、上述した種々の効果を得ることができる。
【００６１】
＜第三実施形態＞
図４は、本発明の第三実施形態にかかる香炉１（本発明の「香炉」に相当）の概略斜視図を示したものである。この図４においては、香炉１の一部（「香炉本体部２０」の内部）を隠れ線（破線）にて示している。
【００６２】
この第三実施形態にかかる香炉１は、基本的に第一実施形態と同様であり、香炉本体部２０に設けられた香炭包囲体７０以外は、第一実施形態と同様の構成を有している。そこで、以下においては、この異なる部分のみについて説明を行い、同様の部分については、同様の符号を付してその説明を省略する。
【００６３】
本実施形態にかかる香炭包囲体７０は、図４に示す通り、上面部７１には第一実施形態のような「蓮の花」等のデザインが施されていない。この上面部７１のデザイン以外については、この香炭包囲体７０は、第一実施形態にかかる香炭包囲体３０と同様の構成を有している。
【００６４】
先に説明した第一実施形態および第二実施形態においては、それぞれ上面部３１，６１に「蓮の花」のデザインを施した場合について説明したが、本発明はこのような構成に限定されるものではなく、この第三実施形態にて示したような構成（上面部７１に特にデザインを施さない構成）も、当然のことながら、本発明の技術的範囲に属する。
【００６５】
本実施形態にかかる香炉１および香炭包囲体７０は、上述したように、上面部７１のデザイン以外は、第一実施形態と同様であるため、当然のことながら、第一実施形態にて説明した全ての効果を得ることができる。
【００６６】
＜その他の実施形態＞
なお、本発明は、上記実施形態に限定されるものではなく、本発明の趣旨に適合し得る範囲で必要に応じて種々の変更を加えて実施することも可能であり、それらはいずれも本発明の技術的範囲に含まれる。
【００６７】
本発明の第一実施形態、第二実施形態および第三実施形態においては、香炉本体部の形状（長方形状、あるいは円形状）に合わせて、香炭包囲体の形状を定める（長方形状の場合には小判形状（あるいは楕円形状）、円形状の場合には円形状）場合について説明したが、本発明は、この構成に限定されず、香炭包囲体の形状は適宜選択可能である。したがって、例えば、香炉本体部の形状が長方形であっても、円形状の香炭包囲体を用いてもよい。また、例えば、香炉本体部の形状に応じて（あるいはその形状に関わらず）、矩形状あるいは多角形（三角形、五角形、六角形等）状の香炭包囲体を用いてもよい。
【００６８】
さらに、本発明の第一実施形態および第二実施形態においては、香炭包囲体を構成する上面部に「蓮の花」をデザインした場合について説明したが、本発明は、この構成に限定されない。したがって、例えば、第三実施形態に示すように、特にデザインを施さなくともよく、または、他の花（例えば、菊等）、植物、動物（想像上の動物を含む）、風景等のデザインを施してもよい。
【００６９】
また、上述した各実施形態にかかる香炭包囲体においては、それぞれ六つの立脚部を有する構成について説明したが、本発明はこの構成に限定されない。したがって、例えば、適宜、必要に応じて、適当な数の立脚部を有する香炭包囲体としてもよい。さらに、例えば、特に独立した複数の立脚部を有することなく、上面部形状と略同様の形状（上面部の外周部と同様の接地形状）を有する立脚部としてもよい。このような場合には、立脚部の所定箇所（上面部と立脚部の接地部との間の所定箇所）に煙と熱とを外部に逃がすための貫通孔部を設ける必要がある。この貫通孔部が、上述した各実施形態における空隙部と同様の機能を発揮することとなる。
【００７０】
さらに、上述した各実施形態においては、抹香を落とし入れるために、上面部に一つの円形の孔部を設ける場合について説明したが、本発明はこの構成に限定されない。したがって、例えば、抹香を落とし入れるための孔部としては、複数の円形（あるいは楕円形、小判形）の孔部を設けてもよく、また、必要に応じて（デザイン上あるいは機能上の必要に応じて）、一つあるいは複数の矩形の孔部を設けてもよい。
【００７１】
また、上記各実施形態においては、香炉本体部と香炭包囲体とが別体として構成されている場合について説明したが、本発明は、この構成に限定されない。したがって、例えば、香炉本体部と香炭包囲体とが一体的に構成されてもよい。このような構成の場合には、例えば、香炭包囲体に設けられた空隙部等から、香炭包囲体の内部に香炭を挿入可能なように、空隙部等の寸法を定めればよい。
【００７２】
さらに、上記各実施形態においては、香炉本体部および香炭包囲体の大きさについては特に説明しなかったが、これらの大きさは、適宜選択可能である。但し、香炭はかなり高温となるため、香炭包囲体の各部は、少なくとも１０ｍｍ〜２０ｍｍ程度、香炭との距離を有することが好ましい。
【図面の簡単な説明】
【００７３】
【図１】本発明の第一実施形態にかかる香炉の概略斜視図を示したものである。
【図２】図１に示した第一実施形態にかかる香炉本体部の概略図を示したものである。ここで、図２（ａ）は、香炉本体部の上面図を示し、図２（ｂ）は、図２（ａ）のII−II線概略断面図を示している。
【図３】本発明の第二実施形態にかかる香炉の概略斜視図を示したものである。
【図４】本発明の第三実施形態にかかる香炉の概略斜視図を示したものである。
【符号の説明】
【００７４】
１    香炉
１０    本体ケース
１１，１２    足部
２０    香炉本体部
２１    香炭
２２    灰
３０    香炭包囲体
３１    上面部
３２    孔部
３３    立脚部
３３ａ〜３３ｆ    第一立脚部〜第六立脚部
３４    空隙部
３４ａ〜３４ｆ    第一空隙部〜第六空隙部
４０    抹香収容部
４１    抹香
５０    香炉
５１    香炉本体部
６０    香炭包囲体
６１    上面部
６２    孔部
６３    立脚部
６４    空隙部
７０    香炭包囲体
７１    上面部
【図１】
2007181496.tif 000003
【図２】
2007181496.tif 000004
【図３】
2007181496.tif 000005
【図４】
2007181496.tif 000006